(57)【要約】  ＴＶインターネットアダプタ（３２）がＴＶソフトウェアのアップグレード要求を受信（４２）し、更新ソフトウェアイメージをダウンロード（４６）し、次にソフトウェアエミュレーションを介して大容量記憶装置にモードを変更（４８）し、ここからＴＶ（１２）が更新画像をダウンロードする。【選択図】図１
2011528217.tif 000002
【特許請求の範囲】
【請求項１】
ＴＶディスプレイ（１８）を含むＴＶ（１２）と、
オーディオビデオリンク及び制御リンク（３７）を使用して前記ＴＶ（１２）に接続された少なくとも１つのアダプタモジュール（３２）と、
を備え、前記ＴＶ（１２）が、前記制御リンク（３７）上で搬送されるデータに応答して、前記モジュール（３２）から前記オーディオビデオリンクを介して受信したビデオを表示するように構成され、前記モジュール（３２）が、第１の時点においてインターフェイスをエミュレートして前記ＴＶ（１２）へビデオを送信し、前記モジュール（３２）が、第２の時点においてインターフェイスのエミュレートを中止し、前記ＴＶ（１２）がソフトウェアを入手するためにアクセスできる大容量記憶装置をエミュレートする、
ことを特徴とするシステム。
【請求項２】
前記モジュール（３２）が、インターネットインターフェイスをエミュレートし、前記インターネットから前記ソフトウェアを入手する、
ことを特徴とする請求項１に記載のシステム。
【請求項３】
前記モジュール（３２）が、ビデオディスクインターフェイスをエミュレートし、これと協働するディスクから前記ソフトウェアを入手する、
ことを特徴とする請求項１に記載のシステム。
【請求項４】
前記ＴＶ（１２）が、該ＴＶ（１２）が前記モジュール（３２）からソフトウェアを入手したことを示す特別なメッセージを前記モジュール（３２）へ送信するプロセッサ（１４）を含む、
ことを特徴とする請求項１に記載のシステム。
【請求項５】
前記特別なメッセージに応答して、前記モジュール（３２）が、大容量記憶装置のエミュレートを中止してインターネットインターフェイスをエミュレートする、
ことを特徴とする請求項４に記載のシステム。
【請求項６】
前記制御リンク（３７）が、ユニバーサルシリアルバス（ＵＳＢ）リンクである、
ことを特徴とする請求項１に記載のシステム。
【請求項７】
前記モジュール（３２）が、セットバックボックスにより実現される、
ことを特徴とする請求項１に記載のシステム。
【請求項８】
モジュールプロセッサ（３４）が、
更新可能なソフトウェアを実行するように構成された構成要素（１２）に対して、インターネットインターフェイスのエミュレーションを示し、
前記構成要素（１２）から該構成要素（１２）を識別する情報を受信（４２）し、
前記情報をインターネットを介してサーバ（３８）へ送信（４４）し、
前記構成要素（１２）のための更新ソフトウェアを前記サーバから再受信（４６）し、
前記構成要素（１２）に対して大容量記憶装置のエミュレーションを示し（４８）、
前記構成要素（１２）が前記更新ソフトウェアにアクセスできるようにする（５０）、
ために読み取ることができる、
ことを特徴とする有形デジタル記憶媒体（３５）。
【請求項９】
前記構成要素がＴＶ（１２）である、
ことを特徴とする請求項８に記載の媒体。
【請求項１０】
前記モジュール（３２）が、セットバックボックスにより実現される、
ことを特徴とする請求項９に記載の媒体。
【請求項１１】
前記ＴＶ（１２）が、該ＴＶ（１２）が更新ソフトウェアを入手したことを示す信号を前記モジュール（３２）へ送信するプロセッサ（１４）を含む、
ことを特徴とする請求項１０に記載の媒体。
【請求項１２】
前記信号に応答して、前記モジュール（３２）が、大容量記憶装置のエミュレートを中止してインターネットインターフェイスをエミュレートする、
ことを特徴とする請求項１１に記載の媒体。
【請求項１３】
前記モジュール（３２）が、異なる時点でＵＳＢ大容量記憶装置とＵＳＢインターネットアダプタとをエミュレートする、
ことを特徴とする請求項８に記載の媒体。
【発明の詳細な説明】
【技術分野】
【０００１】
本発明は、一般にＴＶインターネットアダプタを使用してＴＶソフトウェアイメージを更新することに関する。
【背景技術】
【０００２】
テレビのインターネットとの融合は継続的目標であり、これにより視聴者が単一のＴＶシャーシを使用して従来のＴＶソース及びインターネットの両方からコンテンツに便利にアクセスできるようにするシステムが生み出されてきた。このようにして、人々が身近なテレビの技術を使用して利用できるようになる番組数を大幅に拡大することができる。
【０００３】
この融合により、ＴＶのコンピュータ化も増加してきた。このことはさらに、ＴＶがますますソフトウェアで動くようになることを意味する。一旦ＴＶが販売されると、そのソフトウェアの能力が変化しなければ、より新しいＴＶのソフトウェアよりも劣ることになり得る。
【発明の概要】
【課題を解決するための手段】
【０００４】
システムが、ＴＶディスプレイを含むＴＶと、オーディオビデオリンク及び制御リンクを使用してＴＶに接続されたインターネットアダプタモジュールとを含む。ＴＶは、制御リンク上で搬送されるデータに応答して、モジュールからオーディオビデオリンクを介して受信したビデオを表示するように構成される。モジュールは、第１の時点でインターネットインターフェイスをエミュレートしてＴＶへインターネットビデオを送信し、さらにモジュールは、第２の時点でインターネットインターフェイスのエミュレートを中止し、代わりにＴＶがソフトウェアを入手するためにアクセスできる大容量記憶装置をエミュレートする。
【０００５】
ＴＶは、ＴＶがモジュールからソフトウェアを入手したことを示す特別なメッセージをモジュールへ送信できるプロセッサを含むことができる。この特別なメッセージに応答して、モジュールは、大容量記憶装置のエミュレートを中止して代わりにインターネットインターフェイスをエミュレートすることができる。制御リンクは、限定的な意味ではないが、ユニバーサルシリアルバス（ＵＳＢ）リンクとすることができ、モジュールはセットバックボックスによって実現することができる。
【０００６】
別の態様では、モジュールプロセッサが有形デジタル記憶媒体を読み取って、更新可能なソフトウェアを実行するように構成された構成要素にインターネットインターフェイスのエミュレーションを示し、この構成要素から構成要素を識別する情報を受信し、この情報をインターネットを介してサーバへ送信し、構成要素のための更新ソフトウェアをサーバから再受信し、構成要素に大容量記憶装置のエミュレーションを示して、構成要素がこの更新ソフトウェアにアクセスできるようする。
【０００７】
別の態様では、方法が、ディスプレイ装置に対してインターネットと通信するインターネットアダプタとして仮想的に現れるようにモジュールを構成するステップを含む。方法はまた、モジュールがインターネットから受信したビデオデータをモジュールとディスプレイ装置との間でマルチメディアリンクを介して通信するステップと、ディスプレイ装置を識別する情報をモジュールとディスプレイ装置との間で制御リンクを介してかつユーザ対話を伴わずに通信するステップとを含む。情報は、インターネットサーバに提供される。これに応じて、方法は、モジュールにおいてサーバから更新ソフトウェアを受信する。更新ソフトウェアをディスプレイ装置に関連付ける。モジュールの構成を変更して、ディスプレイ装置に対して大容量記憶装置として仮想的に現れ、もはやインターネットアダプタとしては現れないようにする。この結果、ディスプレイ装置が更新ソフトウェアにアクセスできるようになる。
【０００８】
同様の参照番号が同様の部分を示す図面を参照すれば、本発明の詳細をその構造及び動作の両方に関して最も良く理解することができる。
【図面の簡単な説明】
【０００９】
【図１】本発明の原理による非限定的なシステムの概略図である。
【図２】コンピュータ可読媒体上に記憶されたコード要素を実行するプロセッサが管理できる非限定的なロジックのフロー図である。
【発明を実施するための形態】
【００１０】
まず図１を参照すると、大まかに１０で指定するシステムを示しており、このシステムは、ＴＶプロセッサ１４を含むＴＶ１２と、限定的な意味ではないが、磁気又は光ディスクドライブ、ランダムアクセスメモリ又は読み取り専用メモリ又はフラッシュメモリなどの固体素子、取り外し可能スティック媒体、又は取り外し可能フロッピーディスクなどとすることができる有形デジタル記憶媒体１６とを含む。媒体１６及びプロセッサ１４は、限定されるわけではないが、高解像度（ＨＤ）マトリクスディスプレイ又は標準解像度ブラウン管ディスプレイなどの、ディスプレイ１８とともに示すＴＶハウジング内に格納することができ、或いはプロセッサ１４及び／又は媒体１６は、セットトップボックス内又は後述するモジュール内などの、ＴＶハウジングの外部に存在することもできる。通常、ＴＶプロセッサは、更新を受け取るためのコード、すなわち以下のロジックにより利用されるメカニズムをプログラムされる。
【００１１】
通常、ＴＶ１２は、限定されるわけではないがＩＲ送信機２４などの無線送信機を有するハンドヘルドリモコン装置２２から無線信号を受信するための、限定されるわけではないがＩＲ受信機２０などの無線受信機を含む。リモコン装置２２内のプロセッサ２６は、ユーザが操作可能なキー配列２８から当業で公知の原理に基づいて入力を受け取って、送信機２４が、ディスプレイ１８上でカーソルを動かすためのカーソル制御信号を含む無線信号をＴＶ１２へ送信するようにすることができる。
【００１２】
図１に示す非限定的な実施形態では、コンピュータ可読媒体３５にアクセスするモジュールプロセッサ３４を有することができるインターネットアダプタモジュール３２を使用して、インターネット３０などの広域コンピュータネットワークからのオーディオビデオコンテンツをＴＶ１２に提供してディスプレイ１８上に表示することができる。モジュール３２は、高解像度マルチメディアインターフェイス（ＨＤＭＩ）などの通信インターフェイス３６を使用してＴＶ１２とオーディオビデオデータを通信し、インターネットからＴＶにコンテンツを提供する。また、モジュール３２は、ユニバーサルシリアルバス（ＵＳＢ）インターフェイスなどの制御リンクインターフェイス３７ａを使用して、制御リンク３７を介してＴＶと制御情報を交換することができる。この制御情報は、表示及びユーザ対話に使用する命令及びＧＵＩ要素を含むことができる。
【００１３】
セットバックボックス（ＳＢＢ）又は光ディスクプレーヤなどのその他の装置として実現できるモジュール３２は、モジュール及びＴＶ上の個々のコネクタにより通信を確立した状態でＴＶ１２のハウジングと物理的に協働することができ、或いはコードを介してモジュール３２をＴＶ１２に接続することもできる。いずれにせよ、通常はモジュール３２のハウジングからインターネットジャックへ延びるコンピュータケーブルにより、モジュール３２の（有線又は無線モデムなどの）インターネットインターフェイス３９をインターネットに接続することができるが、上記で暗示したように、モジュール３２は、これとは別にＷｉ−Ｆｉ、ＷｉＭＡＸなどを使用して無線でインターネットと通信することもできる。インターネット３０上の１又はそれ以上のコンテンツサーバ３８からモジュール３２を介してオーディオビデオコンテンツを提供してＴＶディスプレイ１８上に表示することができる。
【００１４】
図２は、本発明の原理によるロジックを示している。図２は、特に更新を必要とするＴＶ、及びＴＶをアップグレードするためのソフトウェアを入手するＳＢＢについて言及しているが、原則としてＴＶ以外の更新可能な構成要素、及びＳＢＢ以外の更新用構成要素にも当てはまる。
【００１５】
ブロック４０から開始して、モジュール３２とＴＶ１２の間にＵＳＢリンク３７、及び必要に応じてＨＤＭＩ接続を確立する。ブロック４２において、ＴＶが、ＵＳＢリンクを介して識別データをモジュールへ自動的に送信する。このデータは、ＴＶの型番及びシリアルナンバーを含むことができる。モジュール３２は、通常はＨＤＭＩ経路上で受信するＴＶのＨＤＭＩ鍵選択ベクトル（ＫＳＶ）からＴＶ識別情報を読み取ることができる。
【００１６】
さらに、ブロック４４において、モジュール３２が、図１に示すサーバの１つなどのサーバ又は広域ネットワーク上の別のサーバへインターネットなどを介してＴＶ  ＩＤ情報を送信する。サーバは、ＴＶ識別情報と利用可能なソフトウェア更新とを相関付けるデータベースを含み、アップロードしたＴＶ  ＩＤ情報に相関するサーバによりいずれかが発見された場合、ブロック４６において、サーバがインターネットを使用して適当な更新をモジュール３２へ返送する。このソフトウェア更新を、モジュール３２内の媒体３５に記憶することができる。
【００１７】
モジュールが更新を受信すると、ブロック４８において、モジュールが、そのソフトウェアエミュレーションをインターネットアダプタのものから大容量記憶装置の１つに変更し、これによりモジュールがＴＶ１２に対してＵＳＢ大容量記憶装置として現れるようになる。これに応じて、ＴＶがブロック５０においてモジュール３２を大容量記憶装置として検出し、ブロック５２において、モジュール３２内の媒体３５からＴＶ１２内のＴＶ媒体１６にソフトウェアをロードする。ＴＶプロセッサ１４は媒体１６にアクセスして、そのオペレーティングシステム又はその他のソフトウェアイメージなどの内部ソフトウェアを適宜更新する。
【００１８】
図２のブロック５４に示すように、ＴＶ１２は、モジュール３２へ所定のファイル又はその他のメッセージなどの特別なメッセージを送信して更新の完了を示す。これに応じて、ブロック５６において、モジュール３２が再度ソフトウェアエミュレーションを変更し、今度はＴＶに対して再びインターネットネットワークインターフェイスとして現れる。その後、ネットワークアダプタに適した制御情報交換をＵＳＢリンクを介して交換することができる。
【００１９】
ブロック４２、５２、５４、及び５６におけるＴＶとモジュールとの間の上記情報交換は、ＵＳＢリンクを介して行うことができる。インターネットビデオが、モジュール３２からＨＤＭＩリンクを介してＴＶ１２へ送信される。
【００２０】
本明細書では、特定の「ＴＶインターネットアダプタを使用したＴＶソフトウェアのアップグレード」を図示し詳細に説明したが、本発明に含まれる主題は特許請求の範囲によってのみ限定されると理解されたい。例えば、モジュール３２を、インターネットアダプタの代わりに又はこれに加えて、ＴＶにビデオディスク機能を提供するためのビデオディスクアダプタとすることもでき、この場合、更新ファイル自体だけでなく上述したＴＶ  ＩＤ及びＴＶ更新ファイルのデータベースも含むアダプタ内のディスクからＴＶに更新データをロードすることができる。
【符号の説明】
【００２１】
１０  システム
１２  ＴＶ
１４  ＴＶプロセッサ
１６  デジタル記憶媒体
１８  ディスプレイ
２０  ＩＲ受信機
２２  リモコン装置
２４  ＩＲ送信機
２６  プロセッサ
２８  キー配列
３０  インターネット
３２  モジュール
３４  モジュールプロセッサ
３５  コンピュータ可読媒体
３６  通信インターフェイス
３７  制御リンク
３７ａ  制御リンクインターフェイス
３８  コンテンツサーバ
３９  インターネットインターフェイス
【図１】
2011528217.tif 000003
【図２】
2011528217.tif 000004
【国際調査報告】
2011528217.tif 000005
2011528217.tif 000006
2011528217.tif 000007
2011528217.tif 000008